(57)【特許請求の範囲】
【請求項１】
映像データに対して所定画素及び所定ライン毎に間引き処理してデータ量を削減したインデツクス画データを作成すると共に、音声データに対して圧縮符号化してデータ量を削減した圧縮音声データを生成し、
第１の記録媒体に上記映像データ及び上記音声データを記録すると共に、第２の記録媒体に上記インデツクス画データ及び上記圧縮音声データを、上記映像データ及び上記音声データに対する編集用のカツトイン点及びカツトアウト点を選定させるためのインデツクス情報として記録する
ことを特徴とする記録方法。
【請求項２】
所定の記録媒体に映像データ及び音声データを記録する記録装置において、
上記映像データ及び音声データを第１の記録媒体に記録する第１の記録手段と、
上記映像データに対して所定画素及び所定ライン毎に間引き処理してデータ量を削減したインデツクス画データを作成するインデツクス画データ作成手段と、
上記音声データに対して圧縮符号化してデータ量を削減した圧縮音声データを生成する圧縮音声データ生成手段と、
上記インデツクス画データ及び上記圧縮音声データを、上記映像データ及び上記音声データに対する編集用のカツトイン点及びカツトアウト点を選定させるためのインデツクス情報として第２の記録媒体に記録する第２の記録手段と
を具え、
上記第１の記録媒体に上記映像データ及び上記音声データを記録すると共に、上記第２の記録媒体に上記インデツクス情報を記録することを特徴とする記録装置。
【請求項３】
映像データに対して所定画素及び所定ライン毎に間引き処理してデータ量を削減したインデツクス画データを生成すると共に、音声データに対して圧縮符号化してデータ量を削減した圧縮音声データを生成し、
第１の記録媒体に上記映像データ及び上記音声データを記録すると共に、第２の記録媒体に上記インデツクス画データ及び上記圧縮音声データを、上記映像データ及び上記音声データに対する編集用のカツトイン点及びカツトアウト点を選定させるためのインデツクス情報として記録し、
上記第２の記録媒体に記録した上記インデツクス情報に基づき、上記映像データ及び上記音声データに対して選定された上記カツトイン点及び上記カツトアウト点を含む編集データを作成する
ことを特徴とする編集方法。
【発明の詳細な説明】
【０００１】
【目次】
以下の順序で本発明を説明する。
産業上の利用分野
従来の技術
発明が解決しようとする課題
課題を解決するための手段（図１〜図４）
作用（図１〜図４）
実施例（図１〜図５）
発明の効果
【０００２】
【産業上の利用分野】
本発明は記録方法、記録装置、及び編集方法に関し、特に編集時にかかる手間や時間を格段に低減することができる記録方法、記録装置、及び編集方法を提案する。
【０００３】
【従来の技術】
従来、所定の記録媒体に記録した映像情報を編集する方法として、オフライン編集がある。
オフライン編集は、撮影現場においてオリジナルテープに記録した映像情報を一旦別の記録テープ（以下これを編集用テープと呼ぶ）にコピーし、当該編集用テープ上で編集点等の編集データを作成し、この編集データに基づいてマスタテープを作成するようになされている。これによりオフライン編集においては、大切なオリジナルテープ上の記録情報を誤つて消去したり、書き換えることなく確実に所望のマスタテープを作成し得るようになされている。
【０００４】
【発明が解決しようとする課題】
ところが、オフライン編集においては、オリジナルテープ上の情報を編集用テープにコピーする際に時間や手間がかかる問題がある。また編集用テープを用いて編集データを作成する際には、プリロールが必要不可欠となり、さらに目的とする編集点までのアクセスに時間がかかることから、編集データの作成に非常に時間がかかることを避け得なかつた。
【０００５】
かかる課題を解決する一つの方法として、オリジナルテープ上の情報を、記録可能なデイスク状記録媒体に一旦コピーし、このデイスク状記録媒体上のコピー情報を用いて編集データを作成する方法がある。このようにすれば、編集点に短時間でアクセスできることから、編集時間を短縮化することができる。
【０００６】
ところが、オリジナルテープ上の全情報をデイスク状記録媒体に記録するためにはデイスク状記録媒体としてかなりの記録容量が必要となり、この記録容量を満たすデイスク状記録媒体は実際上実現が困難な問題がある。またデイスク状記録媒体を用いた場合でも、オリジナルテープから当該デイスク状記録媒体へのコピーには編集用テープを用いた場合と同様にかなりの時間がかかることを避け得なかつた。
【０００７】
本発明は以上の点を考慮してなされたもので、編集に要する手間や時間を低減することができる記録方法、記録装置、及び編集方法を提案しようとするものである。
【０００８】
【課題を解決するための手段】
かかる課題を解決するため本発明においては、映像データＤ１に対して所定画素及び所定ライン毎に間引き処理してデータ量を削減したインデツクス画データＤ２を作成すると共に、音声データＤ４に対して圧縮符号化してデータ量を削減した圧縮音声データＤ５を生成し、第１の記録媒体３に映像データＤ１及び音声データＤ４を記録すると共に、第２の記録媒体４にインデツクス画データＤ２及び圧縮音声データＤ５を、映像データＤ１及び音声データＤ４に対する編集用のカツトイン点及びカツトアウト点を選定させるためのインデツクス情報として記録するようにした。
【０００９】
また本発明においては、記録装置１において、映像データＤ１及び音声データＤ４を第１の記録媒体３に記録する第１の記録手段１６と、映像データＤ１に対して所定画素及び所定ライン毎に間引き処理してデータ量を削減したインデツクス画データＤ２を作成するインデツクス画データ作成手段６と、音声データＤ４に対して圧縮符号化してデータ量を削減した圧縮音声データＤ５を生成する圧縮音声データ生成手段１２と、インデツクス画データＤ２及び圧縮音声データＤ５を、映像データＤ１及び音声データＤ４に対する編集用のカツトイン点及びカツトアウト点を選定させるためのインデツクス情報として第２の記録媒体４に記録する第２の記録手段８とを備え、第１の記録媒体３に映像データＤ１及び音声データＤ４を記録すると共に、第２の記録媒体４にインデツクス情報を記録するようにした。
【００１０】
さらに本発明においては、映像データＤ１に対して所定画素及び所定ライン毎に間引き処理してデータ量を削減したインデツクス画データＤ２を生成すると共に、音声データＤ４に対して圧縮符号化してデータ量を削減した圧縮音声データＤ５を生成し、第１の記録媒体３に映像データＤ１及び音声データＤ４を記録すると共に、第２の記録媒体４にインデツクス画データＤ２及び圧縮音声データＤ５を、映像データＤ１及び音声データＤ４に対する編集用のカツトイン点及びカツトアウト点を選定させるためのインデツクス情報として記録し、当該第２の記録媒体４に記録したインデツクス情報に基づき、映像データＤ１及び上記音声データＤ４に対して選定されたカツトイン点及びカツトアウト点を含む編集データを作成するようにした。
【００１１】
【作用】
従つて、第１の記録媒体３に対する映像データＤ１及び音声データＤ４の記録とほぼ同時に第２の記録媒体４に記録したインデツクス情報に基づいて、当該第１の記録媒体３に記録した映像データＤ１及び音声データＤ４を編集する際の編集データを作成するようにすれば、第１の記録媒体３をコピーして編集用テープを作成することを省略し得、この結果編集に要する手間や時間を格段に低減することができる。
【００１２】
【実施例】
以下図面について、本発明の一実施例を詳述する。
【００１３】
図１及び図２において、１は全体として本発明によるビデオ編集システムに用いられる記録再生系を示し、撮像部（図示せず）によつて撮像された映像信号Ｓ１及び音声信号Ｓ２を記録系２を介して磁気テープ３に記録すると共に、映像信号Ｓ１及び音声信号Ｓ２の情報量を削減してなるインデツクス情報を取外し可能記録媒体４に記録するようになされている。
【００１４】
撮像部によつて撮像された映像信号Ｓ１はアナログデイジタル変換回路（Ａ／Ｄ）５に入力される。アナログデイジタル変換回路５によりデイジタル変換されたデイジタル映像信号Ｄ１はインデツクス画作成処理回路６及びフレームメモリ７にそれぞれ送出される。
フレームメモリ７は、デイジタル映像信号Ｄ１に対してフレーム内記録をするためのフイールドからフレームへの画像変換処理と、圧縮のためのブロツキング処理を施す。インデツクス画作成処理回路６はデイジタル映像信号Ｄ１に対して所定画素及び所定ライン毎に間引き処理を施すことにより、デイジタル映像信号Ｄ１の１／８  のデータ量でなるインデツクス画データＤ２を作成する。
【００１５】
インデツクス画作成処理回路６で生成されたインデツクス画データＤ２は記録インターフエース８を介して取外し可能記録媒体４に記録される。ここで取外し可能記録媒体４としては、例えばＲＡＭ（Ｒａｎｄｏｍ  Ａｃｃｅｓｓ  Ｍｅｍｏｒｙ）、磁気テープ、又はデイスク状記録媒体等が用いられ、従つて記録インターフエース８としてはこの取外し可能記録媒体４に応じてメモリコントローラや磁気ヘツド等が用いられるようになされている。
フレームメモリ７から出力される映像データＤ３は続く圧縮符号化ブロツク１０に入力され、ここで磁気テープ３に記録可能な所定のデータ量に圧縮される。
【００１６】
一方、入力された音声信号Ｓ２はアナログデイジタル変換回路１１によりデイジタル音声信号Ｄ４に変換され、当該デイジタル音声信号Ｄ４は音声圧縮符号化ブロツク１２及びエラー訂正コード付加回路１３に送出される。音声圧縮符号化ブロツク１２はデイジタル音声信号Ｄ４に対して  １／８の圧縮符号化処理を施し、この結果得られる圧縮音声データＤ５は記録インターフエース８を介して取外し可能記録媒体４に記録される。
【００１７】
エラー訂正コード付加回路１３は入力した映像データ及び音声データに対してエラーコードを付加し、このデータＤ６を続くチヤンネルコーデイング回路１４に送出する。チヤンネルコーデイング回路１４に送出されたデータＤ６は当該チヤンネルコーデイング回路１４において磁気テープ３に記録するための記録符号化が施された後、記録アンプ１５において記録／再生部１６において磁気テープ３に記録可能な信号に変換される。
【００１８】
ここで記録／再生部１６及び記録インターフエース８は、それぞれシステムコントローラ１７から送出される駆動制御信号Ｓ３Ａ及びＳ３Ｂに基づいて制御され、磁気テープ３に通常の映像データ及び音声データ（以下これらを主記録情報と呼ぶ）を記録すると共に、これとほぼ同じタイミングで取外し可能記録媒体４に  １／８に圧縮された映像データ及び音声データ（以下これらをインデツクス情報と呼ぶ）を記録するようになされている。またシステムコントローラ１７はユーザインターフエース１８から送出される操作信号Ｓ４により制御される。
【００１９】
これにより記録系２においては、図３（Ａ）に示すように、磁気テープ３の記録領域ＡＲ内に例えば６０分ぶんの主記録情報を記録すると共に、図３（Ｂ）に示すように、取外し可能記録媒体４の各記録領域ＰＳ１〜ＰＳ６０のそれぞれに主記録情報１分ぶん、すなわち主記録情報１８００フレームに相当するインデツクス情報を記録するようになされている。
【００２０】
ここでインデツクス情報は主記録情報に比して  １／８のデータ量でなることより、１フレーム内に主記録情報  ８フレームぶんのインデツクス情報を記録でき、この結果図３（Ｃ）に示すように、主記録情報１８００フレームに相当するインデツクス情報を  ２２５フレーム（ＦＲ１〜ＦＲ２２５）内に記録することができる。
ここでインデツクス情報記録領域ＰＳ１〜ＰＳ６０の１フレーム（ＦＲ１、ＦＲ２、……、又はＦＲ２２５）内には１６フイールド（  ８フレーム）ぶんのインデツクス画が記録される。
【００２１】
このようにして磁気テープ３に記録された主記録情報は再生系２０により再生される。すなわち再生系２０は記録／再生部１６の磁気ヘツド（図示せず）により得られる再生データを、再生アンプ２１で増幅する。増幅された再生データはデータ抽出回路２２に送出される。
【００２２】
データ抽出回路２２は再生データからデータ再生クロツクを発生し、当該データ再生クロツクに基づいて再生データから所定のデータを抽出し、このデータをチヤンネルデコーデイング回路２３に送出する。チヤンネルデコーデイング回路２３はチヤンネルコーデイング回路１４において符号化されたデータをチヤンネルコーデイング前のデイジタルデータに戻し、このデータをエラー訂正処理回路２４に送出する。
【００２３】
エラー訂正処理回路２４においてエラー訂正処理が施された再生データのうち、映像データＤ７は圧縮復号化ブロツク２５に送出される。これに対してエラー訂正後の音声データＤ８はデイジタルアナログ変換回路２６を介して音声信号Ｓ５として出力される。
【００２４】
圧縮復号化ブロツク２５に入力された映像データＤ７は、当該圧縮復号化ブロツク２５によつて圧縮復号化された後、続くフレームメモリ２７に入力され、ここで圧縮復号化データのデブロツキング等が行われ、デイジタルアナログ変換回路２８を介して映像信号Ｓ６として出力される。
これにより再生系２０においては、磁気テープ３に記録された主記録情報を例えば外部のモニタ等に出力することができる。
【００２５】
ここで図４は、記録再生系１によつて作成された磁気テープ３及び取外し可能記録媒体４を用いて編集を行う際の編集システムの構成を示し、記録再生系１はカメラ一体型ビデオテープレコーダ３０に内蔵されている。
カメラ一体型ビデオテープレコーダ３０により得られた磁気テープ３は再生装置３１に装填されると共に、取外し可能記録媒体４は録画機能を備えた編集装置３２に装填される。
これにより編集装置３２においては、磁気テープ３に記録された主記録情報のうち所望の情報のみをコピーすることによりマスタテープを作成するようになされている。
【００２６】
このとき編集装置３２は、取外し可能記録媒体４に記録されたインデツクス情報に基づいたインデツクス画像を順次モニタ３３上に表示する。従つて編集者はこのモニタ３３上に表示されたインデツクス画像に基づいてカツトイン点及びカツトアウト点等の編集データ（例えばＥＤＬ（Ｅｄｉｔ  Ｄｅｃｉｓｉｏｎ  Ｌｉｓｔ））を作成し、この編集データに基づいて磁気テープ３上の主記録情報を編集することによりマスタテープを作成するようになされている。
【００２７】
ここで編集装置３２においては、図５に示すように、取外し可能記録媒体４に記録した各インデツクスデータＰＳ１、ＰＳ２、……、ＰＳ６０に含まれるフレームＦＲ１、ＦＲ２、……、ＦＲ２２５のうち所望の１つを一旦メモリに格納し、これをモニタ３３に表示するようになされている。
従つてモニタ３３上には、図５（Ｃ）に示すように、例えばフレームＦＲ１に含まれる１６種類のインデツクス画像が表示され、これにより編集者はモニタ３３の画面を一覧するだけで、記録されている複数の映像情報の内容を迅速にしかも正確に知ることができ、カツトイン点及びカツトアウト点を容易に選定し得るようになされている。
【００２８】
また編集装置３２においては、図５（Ｄ）に示すように、１６種類のインデツクス画像のうち特定の画像のみをモニタ３３上に拡大表示することもできるようになされている。
これに加えて取外し可能記録媒体４として、例えば磁気テープを用いた場合には編集点までのアクセスに時間がかかるため、取外し可能記録媒体４に記録されたインデツクス情報を予めハードデイスク３４（図４）にコピーし、このハードデイスク３４からインデツクス情報を読み出すこともでき、このようにすれば所望のインデツクス画像に短時間でアクセスし得、この分カツトイン点及びカツトアウト点の選定を一段と短時間で行うことができるようになされている。
【００２９】
以上の構成において、記録再生系１は録画時に磁気テープ３に通常の映像情報及び音声情報でなる主記録情報を記録すると共に、取外し可能記録媒体４に主記録情報のインデツクス情報を記録する。
【００３０】
従つて編集者は、取外し可能記録媒体４に記録されたインデツクス情報に基づいて編集データを作成し、この編集データに基づいて磁気テープ３を編集してマスタテープを作成する。
この結果磁気テープ３をコピーして編集用のテープを作る必要がなく、この分編集にかかる時間や手間を格段に低減することができる。
以上の構成によれば、録画時に磁気テープ３に主記録情報を記録すると共に、取外し可能記録媒体４にインデツクス情報を記録し、取外し可能記録媒体４に記録したインデツクス情報に基づいて編集データを作成するようにしたことにより、編集に要する手間や時間を格段に低減することができる。
【００３１】
なお上述の実施例においては、主記録情報及びインデツクス情報を記録するオリジナル素材として磁気テープ３を用いた場合について述べたが、本発明はこれに限らず、オリジナル素材としては例えば光磁気デイスク等の種々の記録媒体を用いることができる。
【００３２】
また上述の実施例においては、インデツクス画作成処理回路６において間引き処理を施すことによりインデツクス画データＤ２を作成する場合について述べたが、本発明はこれに限らず、例えば所定画素毎の平均をとることによりインデツクス画データを作成するようにしてもよく、要は原画像のデータ量を削減することによりインデツクス画像を生成し得るようなものであればよい。
【００３３】
【発明の効果】
上述のように本発明によれば、映像データに対して所定画素及び所定ライン毎に間引き処理してデータ量を削減したインデツクス画データを生成すると共に、音声データに対して圧縮符号化してデータ量を削減した圧縮音声データを生成し、第１の記録媒体に映像データ及び音声データを記録すると共に、第２の記録媒体にインデツクス画データ及び圧縮音声データを、映像データ及び音声データのカツトイン点及びカツトアウト点を選定させるためのインデツクス情報として記録し、当該第２の記録媒体に記録したインデツクス情報に基づき、映像データ及び音声データに対して選定されたカツトイン点及びカツトアウト点を含む編集データを作成するようにしたことにより、第１の記録媒体をコピーして編集用テープを作成することを省略し得、この結果編集に要する手間や時間を格段に低減することができる。
【図面の簡単な説明】
【図１】本発明による記録装置の一実施例を示すブロツク図である。
【図２】本発明による記録装置の一実施例を示すブロツク図である。
【図３】主記録情報及びインデツクス情報の記録状態を示す略線図である。
【図４】実施例による編集システムの構成を示す略線図である。
【図５】取外し可能記録媒体のインデツクス画像をモニタに表示する際の動作の説明に供する略線図である。
【符号の説明】
１……記録再生系、３……磁気テープ、４……取外し可能記録媒体、６……インデツクス画作成処理回路、８……記録インターフエース、１２……音声圧縮符号化ブロツク、１６……記録／再生部、ＡＲ……主記録情報記録領域、ＰＳ１〜ＰＳ６０……インデツクス情報記録領域。
【図１】
0003560171.tif 000002
【図２】
0003560171.tif 000003
【図３】
0003560171.tif 000004
【図４】
0003560171.tif 000005
【図５】
0003560171.tif 000006